(57)【要約】【課題】本発明は目地部が狭くなるような揺れ動き時でも、目地プレートの後端カバープレートが床面に食い込んだりする不具合を確実に防止して、目地プレートの先端部および後端部に段差を生じさせることなく、安全に使用することができる床用目地装置を得るにある。【解決手段】目地部側の一方の躯体に後端部が上下移動可能に支持され先端部が他方の躯体の目地部側の床面に形成された反目地部側が傾斜面の支持凹部に支持された目地プレートと、この目地プレートの先端部にヒンジ部材を介して取付けられた目地プレートの先端部が他方の躯体の床面上へ乗り上げた場合に段差が生じるのを防止する先端カバープレートと、目地プレートの後端部に固定された先端部が順次下方へ位置する傾斜面の支持体と、この支持体に先端部が支持されるように一方の躯体の目地部側の床面にヒンジ部材を介して取付けられた後端カバープレートとで床用目地装置を構成している。【選択図】  図２
2006241851.tif 000002
【特許請求の範囲】
【請求項１】
目地部を介して設けられた左右の躯体の目地部側の一方の躯体に後端部が上下移動可能に支持され、先端部が他方の躯体の目地部側の床面に形成された反目地部側が傾斜面の支持凹部に支持された目地プレートと、この目地プレートの先端部にヒンジ部材を介して取付けられた、該目地プレートの先端部が他方の躯体の床面上へ乗り上げた場合に、段差が生じるのを防止する先端カバープレートと、前記目地プレートの後端部に固定された先端部が順次下方へ位置する傾斜面の支持体と、この支持体に先端部が支持されるように前記一方の躯体の目地部側の床面にヒンジ部材を介して取付けられた後端カバープレートとからなることを特徴とする床用目地装置。
【請求項２】
目地部を介して設けられた左右の躯体の目地部側の一方の躯体に、該一方の躯体の床面と上面がほぼ同一面の後端部が上下方向および前後方向に移動可能に支持され、他方の躯体の床面と上面がほぼ同一面となるように先端部が他方の躯体の目地部側の床面に形成された反目地部側が傾斜面の支持凹部に支持された目地プレートと、この目地プレートの先端部にヒンジ部材を介して取付けられた、該目地プレートの先端部が他方の躯体の床面上へ乗り上げた場合に、段差が生じるのを防止する先端カバープレートと、前記目地プレートの後端部が位置する前記一方の躯体の目地部側の床面に形成された支持体収納凹部と、この支持体収納凹部内に位置するように、前記目地プレートの後端部に固定された先端部が順次下方へ位置する傾斜面の支持体と、この支持体あるは前記目地プレートの後端部の上部に先端部が支持されるように、前記一方の躯体の目地部側の床面にヒンジ部材を介して取付けられた後端カバープレートとからなることを特徴とする床用目地装置。
【発明の詳細な説明】
【技術分野】
【０００１】
本発明は目地部を介して設けられた左右の建物等の躯体間の床部分の目地部を覆う床用目地装置に関する。
【背景技術】
【０００２】
従来、この種の床用目地装置は後端部が上下移動可能で、先端部がスライド移動可能な目地プレートの先端部と後端部にヒンジ部材を介して、目地部が狭くなるように移動した場合に両端部に段差が生じないようにカバープレートを取付けている。
【０００３】
このように構成された床用目地装置は、目地プレートの先端部に取付けられたカバープレートは目地部が狭くなる揺れ動き時には目地プレートの先端部が上方へ突出されながら他方の床面上をスライド移動するため、床面を損傷させることがないが、目地プレートの後端部に取付けられたカバープレートは傾斜状態に移動し、揺れ動きが停止すると目地プレートの後端部が下方へ移動するため、カバープレートの先端部が一方の床面に食い込むような力が作用して、床面を損傷させてしまうという欠点があった。
【特許文献１】特開２００３−２２１８７７
【発明の開示】
【発明が解決しようとする課題】
【０００４】
本発明は以上のような従来の欠点に鑑み、目地部が狭くなるような揺れ動き時でも、目地プレートの後端カバープレートが床面に食い込んだりする不具合を確実に防止して、目地プレートの先端部および後端部に段差を生じさせることなく、安全に使用することができる床用目地装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の目地部側の一方の躯体に後端部が上下移動可能に支持され、先端部が他方の躯体の目地部側の床面に形成された反目地部側が傾斜面の支持凹部に支持された目地プレートと、この目地プレートの先端部にヒンジ部材を介して取付けられた、該目地プレートの先端部が他方の躯体の床面上へ乗り上げた場合に、段差が生じるのを防止する先端カバープレートと、前記目地プレートの後端部に固定された先端部が順次下方へ位置する傾斜面の支持体と、この支持体に先端部が支持されるように前記一方の躯体の目地部側の床面にヒンジ部材を介して取付けられた後端カバープレートとで床用目地装置を構成している。
【発明の効果】
【０００７】
以上の説明から明らかなように、本発明にあっては次に列挙する効果が得られる。
【０００８】
（１）目地部側の一方の躯体に後端部が上下移動可能に支持され先端部が他方の躯体の目地部側の床面に形成された反目地部側が傾斜面の支持凹部に支持された目地プレートと、この目地プレートの先端部にヒンジ部材を介して取付けられた、該目地プレートの先端部が他方の躯体の床面上へ乗り上げた場合に、段差が生じるのを防止する先端カバープレートと、前記目地プレートの後端部に固定された先端部が順次下方へ位置する傾斜面の支持体と、この支持体に先端部が支持されるように前記一方の躯体の目地部側の床面にヒンジ部材を介して取付けられた後端カバープレートとで構成されているので、目地部が狭くなるように地震等で左右の躯体が揺れ動いた場合、目地プレートの先端部が他方の躯体の床面に乗り上げるとともに、後端部が上方へ突出するが、先端カバープレートと後端カバープレートによって、目地プレートの先端部と後端部に段差が生じるのを確実に防止することができる。
したがって、安全に使用することができる。
【０００９】
（２）前記（１）によって、目地プレートが元の状態へ戻る場合には、先端カバープレートは引きずりながら元の状態へ戻るとともに、後端カバープレートは目地プレートの後端部の支持体に先端部が支持されているため、支持体が下方へ移動すれば自重で下方へ移動させることができ、後端カバープレートで一方の躯体の床面を損傷させる不具合を確実に防止することができる。
【００１０】
（３）前記（１）によって、構造が簡単で、容易に設置することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は目地部２を介して設けられた左右の建物等の躯体３、３の床躯体３ａ、３ａ間の目地部を覆う本発明の床用目地装置で、この床用目地装置１は前記左右の躯体３、３の一方の躯体３の目地部側の床面に階段状に形成された後端カバープレート収納凹部４および支持体収納凹部５と、前記一方の躯体３の目地部側の前記支持体収納凹部５の下部の床躯体３ａに複数本のビス６等によって固定されたアングル状の支持金具７と、前記他方の躯体３の目地部側の床面に反目地部側が傾斜面８に形成された支持凹部９と、前記支持金具７に後端部が支持され、先端部が前記支持凹部９を覆うように支持された上面が、前記左右の躯体３、３の床面とほぼ同一面となる目地プレート１０と、この目地プレート１０の先端部の上部にヒンジ部材１１を介して先端部が上下方向に回動可能に取付けられた先端カバープレート１２と、前記目地プレート１０の後端部の上部に固定された先端部が順次下方へ位置する傾斜面１３に形成された、前記支持体収納凹部５に収納される支持体１４と、前記後端カバープレート収納凹部４を覆うように収納された先端部が、前記支持体１４の上部に位置し、後端部がヒンジ部材１５を介して該後端カバープレート収納凹部４に取付けられた後端カバープレート１６と、前記目地プレート１０の後端部寄りの底面に少なくとも２個以上固定された、前記支持金具７に形成された透孔１７、１７にスライド移動可能に挿入される支持軸１８、１８と、下端部が前記一方の躯体３の前記支持金具７の下部位置の床躯体３ａに枢支金具１９で枢支され、傾斜状態で前記目地プレート１０の底面スライド移動可能に当接するせり上げバー２０と、このせり上げバー２０を目地部２が狭くなる揺れ動き時に押し圧する他方の躯体３の目地部側の床躯体３ａに取付けられた押し圧片２１とで構成されている。
【００１４】
上記構成の床用目地装置１は通常時には図２に示すように、一方の躯体３の床面、後端カバープレート１６の上面、目地プレート１０の上面、先端カバープレート１２の上面および他方の躯体３の床面とがほぼ同一面になっている。
【００１５】
地震等で目地部２が狭くなるように左右の躯体３、３が揺れ動いた場合には、目地プレート１０の先端部が図５に示すように支持凹部９の傾斜面８で上方へ押し上げられるとともに、先端カバープレート１２の先端部が他方の躯体３の床面に当接した傾斜状態となる。
【００１６】
さらに同方向に移動すると押し圧片２１がせり上げバー２０を押し付け、図６に示すように目地プレート１０の後端部を上方へ押し上げるとともに、後端カバープレート１６の先端部を支持体１４によって上方へ移動させて傾斜状態に位置させる。
このため、目地プレート１０の先端部と後端部は傾斜状態で位置する先端カバープレート１２と後端カバープレート１６とで段差を防止して、安全に使用できる状態となる。
【００１７】
次に、目地部２が狭くなった状態から広くなった場合には、図７に示すように先端カバープレート１２の先端部を他方の床面上を引きずるように移動させるとともに、目地プレート１０の後端部は下方へ移動する。
この下方の移動で支持体１４も下方へ移動するため、後端カバープレート１６の先端部は自重によって下方へ下がる。
さらに目地部２が広くなると、図８に示すように目地プレート１０の先端部が支持凹部９内をスライド移動して、その揺れ動きを吸収する。
[発明を実施するための異なる形態]
【００１８】
次に、図９ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１２に示す本発明を実施するための第２の形態において、前記本発明を実施するための最良の第１の形態と主に異なる点は、支持凹部９側より一方の躯体３方向に順次下方へ突出する傾斜面２２の押し上げ片２３、２３を底面に形成した目地プレート１０Ａを用いた点で、このような目地プレート１０Ａを用いて構成した床用目地装置１Ａにしても、前記本発明を実施するための最良の第１の形態と同様な作用効果が得られる。
【００２０】
図１３ないし図１５に示す本発明を実施するための第３の形態において、前記本発明を実施するための第２の形態と主に異なる点は、後端部の底面に下方へ突出し、下部に複数個のローラ２４が取付けられた支持片２５を形成した目地プレート１０Ｂ
と、この目地プレート１０Ｂの支持片２５をスライド移動可能に支持できるように一方の躯体３の目地部側の床躯体３ａに複数本のビス６等で取付けられた支持レール２６とを用いた点で、このように構成した床用目地装置１Ｂにしても、前記本発明を実施するための第２の形態と同様な作用効果が得られるとともに、左右の躯体３、３が異なる前後方向に揺れ動いた場合でも、支持レール２６に沿って目地プレート１０Ｂが前後方向にスライド移動して、その揺れ動きを吸収することができる。
なお、本発明を実施するための形態では一方の躯体３に壁面がある場合には、該壁面に目地プレート１０Ｂの前後方向にスライド移動した場合の支持体１４の移動範囲の逃げ用凹部を形成しておかなければならない。
【００２１】
図１６ないし図１８に示す本発明を実施するための第４の形態において、前記本発明を実施するための第３の形態と主に異なる点は、目地プレート１０Ｃの後端部の上部を傾斜面１３に形成して支持体１４Ａを形成するとともに、支持レール２６に支持される目地プレート１０Ｃの後端部の底面に形成されたピン収納凹部２８に遊挿されるピン２７を上部に固定した支持片２５Aを用いた点で、このような支持体１４Ａや支持片２５Aを用いることにより、支持体収納凹部を一方の目地部側躯体３に形成することなく設置することができるとともに、壁面がある場合でも壁面に逃げ用凹部を形成しなくても、目地プレート１０Ｃを前後方向にスライドさせることができる床用目地装置１Ｃにすることができる。
【産業上の利用可能性】
【００２２】
本発明は床用目地装置を製造する産業で利用される。
【図面の簡単な説明】
【００２３】
【図１】本発明を実施するための最良の第１の形態の平面図。
【図２】図１の２−２線に沿う拡大断面図。
【図３】図１の３−３線に沿う断面図。
【図４】本発明を実施するための最良の第１の形態の目地プレートの説明図。
【図５】本発明を実施するための最良の第１の形態の目地部が狭くなりはじめの動作説明図。
【図６】本発明を実施するための最良の第１の形態の目地部が狭くなった動作説明図。
【図７】本発明を実施するための最良の第１の形態の目地部が狭くなった状態から広くなる動作説明図。
【図８】本発明を実施するための最良の第１の形態の目地部が元の状態になる動作説明図。
【図９】本発明を実施するための第２の形態の平面図。
【図１０】図９の１０−１０線に沿う拡大断面図。
【図１１】本発明を実施するための第２の形態の目地プレートの説明図。
【図１２】本発明を実施するための第２の形態の目地部が狭くなる動作説明図。
【図１３】本発明を実施するための第３の形態の平面図。
【図１４】図１３の１４−１４線に沿う拡大断面図。
【図１５】図１３の１５−１５線に沿う断面図。
【図１６】本発明を実施するための第４の形態の平面図。
【図１７】図１６の１７−１７線に沿う拡大断面図。
【図１８】本発明を実施するための第４の形態の目地部が狭くなる動作説明図。
【符号の説明】
【００２４】
１、       
１Ａ、１Ｂ、１Ｃ：床用目地装置、        
２：目地部、                                  ３：躯体、                                            
４：後端カバープレート収納凹部、  ５：支持体収納凹部、
６：ビス、                        ７：支持金具、
８：傾斜面、                                  ９：支持凹部、
１０、１０Ａ、１０Ｂ、１０Ｃ：目地プレート、
１１：ヒンジ部材、                            １２：先端カバープレート、
１３：傾斜面、                    １４、１４Ａ：支持体、
１５：ヒンジ部材、                            １６：後端カバープレート、
１７：透孔、                                  １８：支持軸、
１９：枢支金具、                  ２０：せり上げバー、
２１：押し圧片、                  ２２：傾斜面、
２３：押し上げ片、                            ２４：ローラ、
２５、２５Ａ：支持片、            ２６：支持レール、
２７：ピン、                      ２８：ピン収納凹部。
【図１】
2006241851.tif 000003
【図２】
2006241851.tif 000004
【図３】
2006241851.tif 000005
【図４】
2006241851.tif 000006
【図５】
2006241851.tif 000007
【図６】
2006241851.tif 000008
【図７】
2006241851.tif 000009
【図８】
2006241851.tif 000010
【図９】
2006241851.tif 000011
【図１０】
2006241851.tif 000012
【図１１】
2006241851.tif 000013
【図１２】
2006241851.tif 000014
【図１３】
2006241851.tif 000015
【図１４】
2006241851.tif 000016
【図１５】
2006241851.tif 000017
【図１６】
2006241851.tif 000018
【図１７】
2006241851.tif 000019
【図１８】
2006241851.tif 000020